(57)【要約】【課題】火災を助長せず、かつ煙の侵入を抑えて避難時間を長くできる避難用途に好適な部屋を有した建物を提供する。【解決手段】ダイニングキッチン１６で火災が生じ、火災警報装置が作動すると、寝室１４の給気ファン２４、及びダイニングキッチン１６の排煙ファン３２が作動し、ダイニングキッチン１６の煙は部屋上部より吸入されて屋外へ排出され、新鮮な外気が寝室１４の上部から寝室１４内に供給されるので、寝室１４に煙が浸入し難くなる。住宅等では、キッチンのコンロ、ストーブ等、火元が部屋の半分よりも下方にある場合が多く、火元が部屋の下部である場合、火元に近いところから外気が導入されると火災を助長する場合が考えられるが、本発明の建物１０では、寝室１４の上部から外気を導入するので、下部から外気を導入するよりも新鮮な空気が火元に行き難く、火災の助長を抑制できる。【選択図】図１
2009275453.tif 000002
【特許請求の範囲】
【請求項１】
複数の部屋と、
前記複数の部屋の内の第１の部屋に連結され、給気した外気を前記第１の部屋の上部より排出する給気装置と、
前記複数の部屋の内で前記給気装置を設けていない第２の部屋に連結され、前記第２の部屋の煙を部屋上部より吸入して屋外へ排出する排煙装置と、
火災、及び煙の少なくとも一方を検知可能なセンサと、
前記センサで、前記火災、及び前記煙の少なくとも一方を検知した際に、前記排煙装置、及び前記給気装置を作動させる制御手段と、
を有することを特徴とする建物。
【請求項２】
前記予め設定した条件とは、予め設定した距離である請求項１に記載の建物。
【請求項３】
前記予め設定した条件とは、前記給気装置と前記排煙装置との間に、天井から下方へ延びる垂壁を設置したことである請求項１に記載の建物。
【請求項４】
前記制御手段は、前記第１の部屋の気圧が前記第２の部屋の気圧よりも高くなるように前記排煙装置、及び前記給気装置を制御する、ことを特徴とする請求項１〜請求項３の何れか１項に記載の建物。
【請求項５】
前記第１の部屋に、前記第１の部屋の温度を計測する温度センサを設け、
前記制御装置は、前記第１の部屋の温度に基いて前記排煙装置、及び前記給気装置を制御する、ことを特徴とする請求項１〜請求項４の何れか１項に記載の建物。
【請求項６】
前記第１の部屋に、前記第１の部屋の気圧を計測する気圧センサを設け、
前記制御装置は、前記第１の部屋の気圧に基いて前記排煙装置と前記給気装置を制御する、ことを特徴とする請求項１〜請求項５の何れか１項に記載の建物。
【請求項７】
上階に設けられる前記第１の部屋と、
上下階に渡る吹き抜けとされた前記第２の部屋と、
を有する、ことを特徴とする請求項１〜請求項６の何れか１項に記載の建物。
【発明の詳細な説明】
【技術分野】
【０００１】
本発明は、火災時に煙の侵入を抑制できる部屋を備えた建物に関する。
【背景技術】
【０００２】
建物では、火災時の避難を考慮し、種々のシステムが考えられている。
例えば、特許文献１では、安全性の高い避難通路の確立のために、外気を建物等の屋内空間へ下部から連続給気して屋内空間を正圧状態に維持したまま、屋内空間の煙を上部から吸入して屋外へ放出する手法を確立している。
【０００３】
また、特許文献２においては、防火防炎区画を設定し、火災発生時においては、該防火防炎区画の煙を上部から吸入して排煙すると共に、防火防炎区画に隣接している避難階段の前室の下部から新鮮外気を導入し、煙層降下時間を稼ぐようにしている。
【特許文献１】特開平５−１６１７号公報。
【特許文献２】特開２００７−２４４６９号公報。
【発明の開示】
【発明が解決しようとする課題】
【０００４】
しかしながら、防煙機構として屋内を正圧にするために外気を取り入れるということは防煙上有効ではあるが、室内の下部から新鮮な外気を導入する構成とした場合、火災が室内空間に侵入してきた際に逆に燃焼を助長する可能性がある。
また、従来では、歩行距離の短い住宅においては、火災発生を知覚した時点から避難時間がかからないとされてきたため、住宅内に避難区画を形成するほどでは無いとされてきた。しかし、住まい方の多様化や住人の高齢化により一定時間の避難時間を確保することが困難となってきており、安全性を確保するためには一定の避難区画を形成することが重要であると考えられる。
【０００５】
例えば、２階家の１階から出火した場合で、２階に居る住人が出火に気付くのが遅れて、逃げ遅れるケースが考えられる。このような場合には、消防が到着するまでの時間を２階の部屋で一時的に避難せざるを得ない。また、避難した部屋では、煙の侵入を抑えることが安全を確保する上で重要である。
【０００６】
本発明は上記事実を考慮し、火災を助長せず、かつ煙の侵入を抑えて避難時間を長くできる避難用途に好適な部屋を有した建物の提供を目的とする。
【課題を解決するための手段】
【０００７】
請求項１に記載の建物は、複数の部屋と、前記複数の部屋の内の第１の部屋に連結され、給気した外気を前記第１の部屋の上部より排出する給気装置と、前記複数の部屋の内で前記給気装置を設けていない第２の部屋に連結され、前記第２の部屋の煙を部屋上部より吸入して屋外へ排出する排煙装置と、火災、及び煙の少なくとも一方を検知可能なセンサと、前記センサで、前記火災、及び前記煙の少なくとも一方を検知した際に、前記排煙装置、及び前記給気装置を作動させる制御手段と、を有することを特徴としている。
【０００８】
次に、請求項１に記載の建物の作用を説明する。
請求項１に記載の建物では、第２の部屋は、例えば、キッチン等の火を扱う部屋であり、第１の部屋は、例えば、寝室等である。
第２の部屋で火災が生じ、センサで火災、及び火災による煙の少なくとも一方が検知されると、制御装置は排煙装置、及び給気装置を作動させる。
【０００９】
排煙装置が作動することで、第２の部屋の煙が部屋上部より吸入されて屋外へ排出される。煙は部屋の上部に滞留して徐々に床面へ向けて降下するので、他の部屋に煙を行かせないためには部屋上部より吸入することが好ましい。なお、部屋の上部とは、より具体的には、天井、及び天井付近の壁面であるが、煙の吸入としては天井に設けることが最も好ましい。
また、給気装置が作動することで、給気した新鮮な外気が第１の部屋の上部から第１の部屋内に供給される。
【００１０】
ここで、第１の部屋と第２の部屋の仕切り（壁等）が火災により損傷し、第２の部屋の煙が第１の部屋に侵入しようとする場合、煙は第２の部屋の上部に滞留しているので、第２の部屋の煙は第１の部屋の第２の部屋側の上部から侵入しようとする。
第１の部屋では、外気を第１の部屋の上部より部屋内に排出することで、第１の部屋の第２の部屋側の上部から侵入しようとする第２の部屋の煙を第２の部屋側へ追い返すような空気の流れを部屋の上部で作り、第１の部屋への煙の侵入を効果的に抑えることができる（第１の部屋において、外気を第１の部屋の下部より部屋内に排出する場合に比較して）。したがって、第１の部屋を、一時的な避難場所として活用できる。
【００１１】
また、住宅等では、キッチンのコンロ、ストーブ等、火元が部屋の半分よりも下方にある場合が多く、火元が部屋の下部である場合、火元に近いところから外気が導入されると、火災を助長する場合が考えられる。
しかしながら、請求項１の建物では、部屋の上部から外気を導入するので、下部から外気を導入するよりも新鮮な空気が火元に行き難く、火災の助長を抑制できる。
【００１２】
なお、給気装置を備えた第１の部屋は少なくとも１つあれば良く、複数あっても良い。
また、排煙装置を備えた第２の部屋は少なくとも１つあれば良く、複数あっても良い。
【００１３】
請求項２に記載の発明は、請求項１に記載の建物において、前記予め設定した条件とは、予め設定した距離である、ことを特徴としている。
【００１４】
次に、請求項２に記載の建物の作用を説明する。
排煙装置と給気装置が近すぎると、より具体的には、排煙装置の煙吸入口と給気装置の外気排出口とが近すぎると、排煙装置が給気装置から排出された外気を多量に吸入する結果、煙の吸入量が不十分になる。
したがって、予め、排煙装置の吸入能力、給気装置の給気能力等を考慮し、火災時に煙を十分に吸入できるように、予め排煙装置と給気装置との距離を設定する。
【００１５】
なお、「火災時に煙を十分に吸入できる」とは、少なくとも、排煙装置が吸入する煙と空気（煙を含まない）との割合を見た時に、煙の割合が空気の割合よりも多い事である。
【００１６】
請求項３に記載の発明は、請求項１に記載の建物において、前記予め設定した条件とは、前記給気装置と前記排煙装置との間に、天井から下方へ延びる垂壁を設置したこと、を特徴としている。
【００１７】
次に、請求項３に記載の建物の作用を説明する。
前述した様に排煙装置と給気装置が近すぎると、排煙装置が給気装置から排出された外気を多量に吸入する結果、煙の吸入量が不十分になるが、請求項３に記載の建物では、給気装置と排煙装置との間に、天井から下方へ延びる垂壁を設置したので、垂壁が屋内空間の上部に滞留した煙が天井に沿って給気側へ向かうことを阻止しつつ、給気装置から排出された外気が天井に沿って排煙装置側へ向かうことが阻止できるので、給気装置と排煙装置との距離をあまり離さなくても煙を十分に吸入して屋外へ排煙することが可能となる。
【００１８】
請求項４に記載の発明は、請求項１〜請求項３の何れか１項に記載の建物において、前記制御手段は、前記第１の部屋の気圧が前記第２の部屋の気圧よりも高くなるように前記排煙装置、及び前記給気装置を制御する、ことを特徴としている。
【００１９】
次に、請求項４に記載の建物の作用を説明する。
請求項４に記載の建物では、制御手段が第１の部屋の気圧が、第２の部屋の気圧よりも大きくなるように排煙装置と給気装置を制御する。これにより、第１の部屋から第２の部屋へ空気が流れ易くなり、第２の部屋の煙が第１の部屋へ侵入し難くなる。
【００２０】
請求項５に記載の発明は、請求項１〜請求項４の何れか１項に記載の建物において、前記第１の部屋に、前記第１の部屋の温度を計測する温度センサを設け、前記制御装置は、前記第１の部屋の温度に基いて前記排煙装置、及び前記給気装置を制御する、ことを特徴としている。
【００２１】
次に、請求項５に記載の建物の作用を説明する。
請求項５に記載の建物では、温度センサが第１の部屋の温度を計測し、制御手段は第１の部屋の温度に基いて排煙装置、及び給気装置の制御を行う。これにより、例えば、第１の部屋の温度が予め設定した基準の温度よりも高くなった場合や、第１の部屋の温度が急激に変化（上昇）した場合に、制御装置は火災が生じていると判断し、排煙装置、及び給気装置を作動させて第１の部屋への煙の侵入を抑えることができる。
【００２２】
請求項６に記載の発明は、請求項１〜請求項５の何れか１項に記載の建物において、前記第１の部屋に、前記第１の部屋の気圧を計測する気圧センサを設け、前記制御装置は、前記第１の部屋の気圧に基いて前記排煙装置と前記給気装置を制御する、ことを特徴としている。
【００２３】
次に、請求項６に記載の建物の作用を説明する。
請求項６に記載の建物では、気圧センサが第１の部屋の気圧を計測し、制御手段は第１の部屋の気圧に基いて排煙装置と給気装置の制御を行う。これにより、例えば、第１の部屋の気圧が急激に変化した場合に、例えば、制御装置は火災が生じて第１の部屋と第２の部屋との間のガラス窓、壁等が火災により損傷して第１の部屋と第２の部屋とが連通したと判断し、排煙装置と給気装置を作動させて第１の部屋への煙の侵入を抑えることができる。
【００２４】
請求項７に記載の発明は、請求項１〜請求項６の何れか１項に記載の建物において、上階に設けられる前記第１の部屋と、上下階に渡る吹き抜けとされた前記第２の部屋と、を有する、ことを特徴としている。
【００２５】
次に、請求項７に記載の建物の作用を説明する。
請求項７の建物において、例えば、第１の部屋が上階とされる２階に設けられた部屋で、第２の部屋が上下階に渡る、即ち、１階から２階に渡る吹き抜けである場合、第２の部屋で火災が生じると、煙は、２階の第１の部屋の天井と同一高さとされた吹き抜けの天井側に滞留することになるが、排煙装置が作動することで、第２の部屋の煙が部屋上部より吸入されて屋外へ排出される。
【００２６】
仮に、吹き抜けと２階に設けた第１の部屋との間のガラスや壁が火災により損傷し、第２の部屋の煙が第１の部屋に侵入しようとした場合、煙は第１の部屋の上部から侵入しようとする。
第１の部屋では、外気を第１の部屋の上部より部屋内に給気するので、第１の部屋の吹き抜け側の上部から侵入しようとする煙を、吹き抜け側へ追い返すような空気の流れを第１の部屋の上部で作り、第１の部屋への煙の侵入を抑えることができる。
【発明の効果】
【００２７】
以上説明したように本発明の建物によれば、火災を助長せず、第１の部屋においては、煙の侵入を抑えて避難時間を長くすることができるので、避難用途に好適な部屋となる。
【発明を実施するための最良の形態】
【００２８】
［第１の実施形態］
以下、図１、及び図２を用いて、本発明の第１の実施形態に係る建物１０について説明する。
図１には、本発明の適用された２階建ての建物１０が示されている。この建物１０は住宅であり、図面右側の１階にリビングルーム１２、リビングルーム１２の上に２階の部屋としての寝室１４があり、リビングルーム１２、及び寝室１４の図面左側に、１階から２階まで吹き抜けとされたダイニングキッチン１６がある。
【００２９】
寝室１４には、ガラス窓１７の外側に遮光用の水平ルーバー１８が設けられ、水平ルーバー１８の陰とならない位置に太陽の向き、及び日射量を把握するための直接日射計２０が設けられている。水平ルーバー１８は、モータ１８Ａによってフィンの角度が変更可能とされている。なお、水平ルーバー１８のフィンは、金属等の耐火性に優れた材料で形成されていることが好ましい。
また、寝室１４には、通常時の換気を行うための換気口２１が設けられている。なお、換気口２１はモータ２１Ａによって開閉可能とされ、通常は開となっている。
【００３０】
寝室１４の天井裏には、外気を吸入するための給気ファン２４が配置されており、給気ファン２４から送風された外気が、寝室１４の天井に設けられた給気口２４Ａから部屋内に給気されるように構成されている。
本実施形態では、寝室１４と吹き抜けとされたダイニングキッチン１６とがガラスサッシ２６で完全に仕切られており、通常は寝室１４と吹き抜けとの間で空気の出入りは出来ない構造となっている。
なお、このガラスサッシ２６には、気圧センサ２８、及び温度センサ３０が取り付けられている。
【００３１】
一方、吹き抜けとされたダイニングキッチン１６には、天井裏に排煙ファン３２が配置されており、ダイニングキッチン１６の天井に設けられた煙吸入口３２Ａからダイニングキッチン１６の煙、及び空気を吸入して屋外へ排出する構成となっている。
【００３２】
なお、気圧センサ２８、温度センサ３０、及び直接日射計２０は、データロガー３４、及びコンピュータ等を含んで構成される制御装置３６に接続されており、気圧センサ２８、温度センサ３０、及び直接日射計２０から送信された種々のデータが、データロガーに記憶されると共に、制御装置３６に入力されるように構成されている。
【００３３】
制御装置３６には、前述した排煙ファン３２、給気ファン２４、換気口２１を開閉するモータ２１Ａ、水平ルーバー１８のモータ１８Ａが接続されており、制御装置３６は直接日射計２０、気圧センサ２８、温度センサ３０からのデータに基いて接続された機器の作動を制御する。
【００３４】
（作用）
次に、本実施形態の建物１０における排煙ファン３２、及び給気ファン２４等の制御の一例を図２のフローチャートに基いて説明する。本実施形態では、室温の変化に基いて排煙ファン３２、及び給気ファン２４等の制御を行う例である。
【００３５】
先ず、ステップ１００では、ガラスサッシ２６の温度が６００Ｋ以下であるか否かが判断される。ガラスサッシ２６の温度が６００Ｋ以下の場合には、屋内に異常（火災）は無いと判断されるので、ステップ１０２にて直接日射計２０で太陽の向き、及び日射量が測定され、ステップ１０４で太陽の向き、及び日射量がデータロガー３４に記録されてステップ１０６へ進む。
【００３６】
ステップ１０６では、制御装置３６は、太陽の向きに基いて太陽光が室内に入らないように水平ルーバー１８のフィンの角度を演算し、次のステップ１０８では、演算結果に基いて水平ルーバー１８のフィンの角度を変更する（遮光を行う）と共に、換気口２１を開としておく。
【００３７】
次のステップ１１０では、ガラスサッシ２６の温度が、予め設定した室内基準温度（例えば、２５°Ｃ）を超えているか否かが判断され、その後、ステップ１００へ戻る。
【００３８】
一方、ステップ１００でガラスサッシ２６の温度が６００Ｋを超えたと判断されると、火災Ｆが発生してガラスサッシ２６が加熱されて危険な状態にあると判断されるので、先ずステップ１１２へ進み、気圧センサ２８で寝室１４の気圧が測定され、測定された気圧がステップ１１４にてデータロガー３４に記録される。
【００３９】
次のステップ１１６では、制御装置３６が排煙ファン３２、給気ファン２４、及び換気口２１のモータ２１Ａの作動信号を送信し、次のステップ１１８では排煙ファン３２、及び給気ファン２４が作動すると共に、換気口２１が閉とされる。
【００４０】
排煙ファン３２が作動することで、ダイニングキッチン１６の天井側に上昇した煙が煙吸入口３２Ａから吸入され、屋外へ連続的に排出される。一方、給気ファン２４が作動することで、換気口２１から新鮮な外気が寝室１４の内部に連続的に供給される。
【００４１】
このため、ダイニングキッチン１６と寝室１４とを仕切るガラスサッシ２６が火炎による対流熱や放射熱等により破損した場合であっても、ダイニングキッチン１６の煙が寝室１４に侵入することが抑えられ、寝室１４において煙降下時間を稼ぐことができる。
したがって、火災時に屋外に逃げることができなくなった場合には、寝室１４に避難することで、避難安全性を大きく向上することができる。
【００４２】
本実施形態では、ガラスサッシ２６の温度に基いて制御を行ったが、本発明はこれに限らず、寝室１４の壁、床、及び天井の温度、室温等に基いて制御を行っても良い。  
【００４３】
［第２の実施形態］
以下、図３、及び図４を用いて、本発明の第２の実施形態について説明する。なお、第１の実施形態と同一構成には同一符号を付し、その説明は省略する。
図３に示すように、本実施形態では、ダイニングキッチン１６に、ダイニングキッチン１６の気圧を計測するための気圧センサ３８、及び火災警報装置４０が設けられている。火災警報装置４０は、煙式、定温式等の公知の装置方式の火災警報装置を用いることができる。煙式では、火災Ｆの煙を検知することで信号を出力し、定温式では、予め設定した値を超える温度を検知したときに信号を出力するように構成されている。
【００４４】
（作用）
次に、本実施形態の制御の一例を図４のフローチャートに基いて説明する。本実施形態では、火災警報装置４０の作動によって、排煙ファン３２、及び給気ファン２４等の制御を行う例である。
【００４５】
先ず、ステップ２００では、火災警報装置４０が作動したか否かが判断され、ステップ２００で、火災警報装置４０が作動していないと判断されると（非火災時）、ステップ２０２にて直接日射計２０で太陽の向き、及び日射量が測定され、ステップ２０４で太陽の向き、及び日射量がデータロガー３４に記録されてステップ２０６へ進む。
【００４６】
ステップ２０６では、制御装置３６は、太陽の向きに基いて太陽光が室内に入らないように水平ルーバー１８のフィンの角度を演算し、次のステップ２０８では、演算結果に基いて水平ルーバー１８のフィンの角度を変更する（遮光を行う）と共に、換気口２１を開としておく。
【００４７】
次のステップ２１０では、温度センサ３０でガラスサッシ２６の温度が測定され、測定された温度が予め設定した室内基準温度（例えば、２５°Ｃ）を超えているか否かが判断され、その後、ステップ２００へ戻る。
【００４８】
一方、ステップ２００で、火災により火災警報装置４０が作動したと判断されると、ステップ２１２へ進み、気圧センサ３８でダイニングキッチン１６の気圧が測定され、また、気圧センサ２８で寝室１４の気圧が測定され、測定された気圧がステップ２１４にてデータロガー３４に記録される。
【００４９】
次のステップ２１６では、制御装置３６が排煙ファン３２、給気ファン２４、及び換気口２１のモータ２１Ａの制御信号を送信し、次のステップ２１８では排煙ファン３２、及び給気ファン２４が作動すると共に、換気口２１が閉とされる。
【００５０】
排煙ファン３２が作動することで、ダイニングキッチン１６の天井側に上昇した煙が煙吸入口３２Ａから吸入され、屋外へ連続的に排出される。一方、給気ファン２４が作動することで、換気口２１から新鮮な外気が寝室１４の内部に連続的に供給される。
【００５１】
次のステップ２２０では、排煙ファン３２、及び給気ファン２４が作動した後の寝室１４の気圧が、ダイニングキッチン１６の気圧よりも大きいか否かが判断され、寝室１４の気圧がダイニングキッチン１６の気圧よりも大きいと判断された場合には排煙ファン３２、及び給気ファン２４の作動を続ける。
【００５２】
一方、ステップ２２０において、寝室１４の気圧がダイニングキッチン１６の気圧以下であると判断された場合にはステップ２１２へ戻り、制御装置３６は、寝室１４の気圧がダイニングキッチン１６の気圧よりも高くなるように排煙ファン３２、及び給気ファン２４の制御を行う。具体的には、給気ファン２４の能力を向上して給気量を増加することが好ましい。なお、場合によっては、排煙ファン３２の排煙能力を低下させても良い。
【００５３】
本実施形態では、ダイニングキッチン１６と寝室１４とを仕切るガラスサッシ２６が火炎による対流熱や放射熱等により破損した場合であっても、フィードバック制御により寝室１４の気圧をダイニングキッチン１６の気圧よりも高く設定することができるので、ダイニングキッチン１６の煙が寝室１４に侵入することが確実に抑えられ、寝室１４において煙降下時間を確実に稼ぐことができる。
【００５４】
［第３の実施形態］
以下、図５を用いて、本発明の第３の実施形態について説明する。なお、本実施形態は第１の実施形態の変形例であり、第１の実施形態と同一構成には同一符号を付し、その説明は省略する。
図５に示すように、本実施形態では、外壁に屋外の温度を計測する屋外温度センサ４２が設けられている。なお、この屋外温度センサ４２は制御装置３６に接続されている。
【００５５】
本実施形態では、屋外（例えば、隣家等）で火災Ｆが発生すると、制御装置３６は、屋外温度センサ４２の温度と、予め設定しておいた基準の温度とを比較し、屋外温度センサ４２で計測した温度が、基準の温度よりも高いと判断したときに、水平ルーバー１８、及び換気口２１を閉じるように制御する。
ここで、基準の温度とは、例えば、寝室１４のガラス窓１７のガラス破損温度とすることができる。
このように基準温度を設定しておくことで、ガラス窓１７が熱で破壊される前に水平ルーバー１８を閉じることができ、屋外での火災による放射熱、対流熱、火の粉、煙等が損傷したガラス窓１７や換気口２１を介して建物１０の内部に侵入入ることを阻止でき、建物内の安全性が向上する。
【００５６】
［その他の実施形態］
第１の実施形態の制御フローでは、寝室１４の温度が６００Ｋを超えたことで、屋内で火災が発生したと判断したが、例えば、部屋内の温度が急激に変化（上昇）した場合に、火災が発生したと判断しても良い。この場合、予め設定した単位時間当たりの温度の変化量（基準）と、単位時間毎に測定した温度の変化量との比較を行う判断を制御フローに設け、基準を超えた場合に火災と判断する。
【００５７】
また、寝室１４の気圧を気圧センサ２８で常時監視し、寝室１４の気圧が急激に変化した場合に、寝室１４とダイニングキッチン１６との間のガラスサッシ２６が火災によって損傷したと判断し、排煙ファン３２、及び給気ファン２４を作動させるように制御しても良い。この場合、予め設定した単位時間当たりの気圧の変化量（基準）と、単位時間毎に測定した気圧の変化量との比較を行う判断を制御フローに設け、基準を超えた場合に火災と判断する。
【００５８】
また、上記実施形態の建物１０では、寝室１４、ダイニングキッチン１６、リビングルーム１２を示し、他の部屋は省略しているが、安全性の高い避難域とすべく他の部屋に給気ファン２４、温度センサ、気圧センサ等を設けても良い。
【００５９】
また、２世帯住宅等では、キッチンが２個所設けられている場合があり、キッチン以外の部屋でも火災の原因となり得るストーブ等の住宅機器等が備えられている場合が想定される。したがって、建物１０に火元となり得る多数の部屋がある場合、排煙ファン３２、及び給気ファン２４を全ての部屋に設けると共に、これら全ての部屋に温度センサ、気圧センサ、火災警報装置を設けても良い。このような場合、制御装置３６は、温度センサ、気圧センサ、火災警報装置等からのデータを収集し、どの部屋で火災が起きているかを判断し、火災の起きていると判断された部屋の排煙ファン３２を作動させ、火災の起きていないと判断された部屋の給気ファン２４を作動させる。これにより、上記実施形態と同様に、火災が発生している以外の部屋の避難安全性を向上することができる。また、各部屋に人間から発せられる赤外線を検知する赤外線センサを設け、赤外線センサからの信号によって制御装置３６に人間の居る部屋を判断させ、人間の居る部屋の給気ファン２４を作動させることも出来る。
【００６０】
また、火災が生じていると判断される部屋を知らせると共に、火災が生じていないと判断される部屋を知らせる表示装置等を制御装置３６に接続し、表示装置を各部屋に設けるようにしても良い。これにより、火災の生じている部屋、及び避難する部屋を把握することができる。
【００６１】
上記実施形態では、寝室１４とダイニングキッチン１６とがガラスサッシ２６で仕切られていたが、寝室１４とダイニングキッチン１６とは、火炎、火熱を有効に遮断できる耐火壁で仕切られていても良い。
【００６２】
また、上記実施形態では、寝室１４とダイニングキッチン１６とがガラスサッシ２６で完全に仕切られていたが、図６に示すように、天井から所定の長さ下方に張出した垂壁４４をガラスサッシ２６に代えて設けても良い。垂壁４４を設けることで、垂壁４４を設けない場合に比較して、ダイニングキッチン１６の煙が天井に沿って寝室１４に流入することを抑えることができる。
なお、部屋の間に壁等の仕切りが天井側に無く、煙吸入口３２Ａと給気口２４Ａとが近すぎると、煙吸入口３２Ａが給気口２４Ａから排出された外気を多量に吸入する結果、煙の吸入量が不十分になる虞があるが、天井から下方へ延びる垂壁を煙吸入口３２Ａと給気口２４Ａとの間に設置することで、ダイニングキッチン１６の上部に滞留した煙が天井に沿って寝室側へ向かうことを阻止しつつ、寝室１４に給気された外気が天井に沿ってダイニングキッチン側へ向かうことが阻止できるので、煙吸入口３２Ａと給気口２４Ａとの距離をあまり離さなくても煙を十分に吸入して屋外へ排煙することが可能となる。
なお、上記の制御は一例であり、本発明の主旨を逸脱しない範囲で種々の変更が可能である。
【図面の簡単な説明】
【００６３】
【図１】第１の実施形態に係る建物の概略構成を示す側面図である。
【図２】第１の実施形態に係る建物での制御を示すフローチャートである。
【図３】第２の実施形態に係る建物の概略構成を示す側面図である。
【図４】第２の実施形態に係る建物での制御を示すフローチャートである。
【図５】第３の実施形態に係る建物の概略構成を示す側面図である。
【図６】他の実施形態に係る建物の概略構成を示す側面図である。
【符号の説明】
【００６４】
１０    建物
１２    リビングルーム（部屋）
１４    寝室（第１の部屋）
１６    ダイニングキッチン（第２の部屋、吹き抜け）
２０    日射計
２１    換気口
２４    給気ファン（給気装置）
２４Ａ  給気口（給気装置）
２８    気圧センサ
３０    温度センサ
３２    排煙ファン（排煙装置）
３２Ａ  煙吸入口（排煙装置）
３６    制御装置
３８    気圧センサ
４０    火災警報装置（センサ）
４４    垂壁
【図１】
2009275453.tif 000003
【図２】
2009275453.tif 000004
【図３】
2009275453.tif 000005
【図４】
2009275453.tif 000006
【図５】
2009275453.tif 000007
【図６】
2009275453.tif 000008